(57)【特許請求の範囲】
【請求項１】
座体の側部より起立する肘掛け支柱に肘当てを装架した椅子の肘掛け装置において、
前記肘掛け支柱側に設けた肘当て支持部に、前記肘当てを、前記肘当て支持部おける軸部を挿通する垂直軸により回転可能に枢支するとともに、前記肘当て支持部に水平突部を設け、前記肘当ての下面側には前記肘当て支持部の水平突部が収容される凹所を設け、該凹所の両側面と前記水平突部の両側面との間には、前記水平突部上で前記肘当てが回動可能となる隙間が形成され、かつ前記肘当ての下面側に、前記凹所と同寸法、同形状をなし、前記肘当て支持部の軸部が挿通する丸孔を有するとともに、前記水平突部の下方と前記隙間の下方を覆うカバー部材を設けたことを特徴とする椅子の肘掛け装置。
【請求項２】
カバー部材の外周縁を上方へ起立させて起立片を形成するとともに、該起立片を凹所の内周面と係合させて、前記カバー部材を肘当ての下面側に取り付けた請求項１記載の椅子の肘掛け装置。
【請求項３】
起立片を弾性変形可能とするとともに、該起立片の遊端外側に係止爪を設け、該係止爪を凹所の内側面に設けた係止溝と係合させた請求項１または２記載の椅子の肘掛け装置。
【発明の詳細な説明】
【０００１】
【発明の属する技術分野】
本発明は、座る人の体型や作業内容によって、椅子の肘当てを水平方向に回動させて位置調整しうるようにした、椅子の肘掛け装置に関する。
【０００２】
【従来の技術】
椅子の肘当てを使用者にあわせて回動させるようにした肘掛け構造は、例えば特開平9-121975号公報に記載され、公知である。
【０００３】
【発明が解決しようとする課題】
しかし、この従来の肘掛け構造では、肘当ての底面に形成した凹部の中を、肘当て支持部が移動するため、角度調節をした際に、この凹部と肘当て支持部との間に指を挟むおそれがある。
【０００４】
本発明は、上述の問題点に鑑み、肘当ての底面に形成した凹部に配設される肘当ての回動機構と凹部の内面とのに指が入り込まない構造とした肘掛け装置を提供することを目的としている。
【０００５】
【課題を解決するための手段】
本発明によると、上記課題は、次のようにして解決される。
（１）座体の側部より起立する肘掛け支柱に肘当てを装架した椅子の肘掛け装置において、前記肘掛け支柱側に設けた肘当て支持部に、前記肘当てを、前記肘当て支持部おける軸部を挿通する垂直軸により回転可能に枢支するとともに、前記肘当て支持部に水平突部を設け、前記肘当ての下面側には前記肘当て支持部の水平突部が収容される凹所を設け、該凹所の両側面と前記水平突部の両側面との間には、前記水平突部上で前記肘当てが回動可能となる隙間が形成され、かつ前記肘当ての下面側に、前記凹所と同寸法、同形状をなし、前記肘当て支持部の軸部が挿通する丸孔を有するとともに、前記水平突部の下方と前記隙間の下方を覆うカバー部材を設ける。
【０００６】
（２）上記(１)項において、カバー部材の外周縁を上方へ起立させて起立片を形成させるとともに、該起立片を凹所の内周面と係合させて、前記カバー部材を肘当ての下面側に取り付ける。
【０００７】
（３）上記(１)または(２)項において、起立片を弾性変形可能とするとともに、該起立片の遊端外側に係止爪を設け、該係止爪を凹所の内側面に設けた係止溝と係合させる。
【０００８】
【発明の実施の形態】
図１は、本発明を適用した椅子(Ａ)の側面図であり、この椅子では、座体(１)の左右両側に高さ調節式とした肘掛け支柱部(５)の頂部に、肘掛け装置(２)が設けられている。
各肘掛け装置(２)の肘当て(３)は、前後、左右方向に移動調節することができるとともに、回動調節することができる。
【０００９】
肘当て(３)をこのように移動、回転調節できるようにするための具体的な構造の一例、すなわち本発明の肘掛け装置(２)の一実施形態を図２〜図７を参照して以下に説明する。
【００１０】
図２に示すように、高さ調節機構（その詳細は、本発明に直接関係しないので説明を省略する）を組み込んだ肘掛け支柱部(５)を構成する上部の肘掛け支柱(４)の頂部は、水平の円板部分(６)を形成しており、その中心から第１の垂直軸(７)が上方に延びている。
【００１１】
第１の垂直軸(７)には、その上方に示されているほぼ水平の肘当て支持体(８)の一方の端部に形成された軸孔(９)が嵌挿されている。この肘当て支持体(８)の他方の端部には、上方に延びる第２の垂直軸(10)が形成されている。
【００１２】
肘当て支持体(８)の上部では、垂直軸(７)に第１の平歯車(11)がボルト(11a)により固定（回転可能とすることもある）されており、取り付けられており、垂直軸(７)と第２の垂直軸(10)との間には、第２の平歯車(12)が、ボルト(12a)により、第１の平歯車(11)と噛み合って回転しうるように取り付けられている。
【００１３】
肘当て(３)の下にある肘当て支持部を形成する肘当てホルダ(14)には、第２の垂直軸(10)が挿通する軸孔(15)を有する軸部(16)が形成されており、軸部(16)の下端外周には、第３の平歯車(17)が固定的に形成されている。
肘当てホルダ(14)が肘当て(３)と肘当て支持体(８)との間に、ボルト(10a)により取り付けられた状態では、第３の平歯車(17)は、第２の平歯車(12)に噛み合い、肘当てホルダ(14)は、それらの平歯車(17)(12)(11)の列により、肘当て支持体(８)がどのような向きに回動しても、常に前後方向を向くように維持される。なお、符号(18)は、肘当て支持体(８)の上部カバーを示す。
【００１４】
第１の垂直軸(７)には、周辺部に等間隔に多数の係合孔(20)を穿設した円板部材(21)が上方より嵌合されている。その下面から突出する係止ピン(22)（図６）を、肘掛け支柱(４)の円板部分(６)に穿設した対応する受け孔(23)に嵌合することにより、円板部材(21)は円板部分(６)に回転不能に支持されている。
【００１５】
肘当て支持体(８)の下面には、一方の端部の軸孔(９)の両側部に直径方向の溝(24)（図６）が形成されている。この溝(24)には、ばね鋼のような弾発性材料からなり、第１の垂直軸(７)に嵌合する中央部分(26a)から直径方向に延びる１対の弾性舌片(26b)を有する弾性部材(25)が挿置され、肘当て支持体(８)に回転不能に支持されている。
弾性舌片(26b)は下方に曲げられており、その先端部に下方に突出する丸形突部が形成されている。この丸形突部が、円板部材(21)の周辺部の係合孔(20)に係合できる。
【００１６】
肘当てホルダ(14)は、前部が軸孔(15)を中心とする円形をなし、後部に後方に向かって漸次狭幅となる水平突部(14a)を有し、全体として、水滴形の平面形状をしており、その上部には、軸孔(15)から前方に離間した位置に、上方を向く係止軸(28)（図２）が立設されている。一方、ボルト(3c)により結合されて肘当て(３)を構成するパッド(3a)及び受材(3b)のうち、受材(3b)の下面には、肘当てホルダ(14)を収容する長円形の凹所(29)が形成されている。この凹所(29)内には、肘当てホルダ(14)の軸孔(15)に対応する軸取付け用のボス(30)が形成されており、このボス部(30)に沿って、弾性変形可能なリング形状の係止部材(31)が保持されている。
【００１７】
係止部材(31)は、後面がボス部(30)に沿う円弧形状をなしており、前面がなだらかに突出する２個の山を形成し、これらの山の外側の部分、及び山と山との間に、前述の係止軸(28)を弾性的に係止できるようにされている。
【００１８】
肘当てホルダ(14)の水平突部(14a)の両側面と長円形の凹所(29)の両側面との間には、隙間が形成され、この隙間を覆うために、カバー部材(19)が設けられている。
【００１９】
カバー部材(19)は、図４及び図５に示すように、凹所(29)と同寸法、同形状の長円形をなしており、肘当てホルダ(14)の軸部(16)を通す丸孔(32)が穿設されている。また、外周縁には、上方を向く起立片(33)が形成されており、その適宜位置の数カ所に、外側に向く係止爪(34)が形成されている。
【００２０】
一方、肘当て(３)の凹所(29)の内周面には、図３に示すように係止溝(35)が形成されており、カバー部材(19)を凹所(29)に嵌合させた時、その係止爪(34)が係止溝(35)に係合して、カバー部材(19)が凹所(29)に取り付けられ、上述の隙間を覆う。この状態を、図６の断面図から理解できる。
【００２１】
このような構成であるので、肘当て支持体(８)は、その一端部を枢支する肘掛け支柱(４)の垂直軸(７)を中心として揺動するスイングアームとして作用し、その他端部の第２の垂直軸(10)に枢支した肘当て(３)を、クランク運動するように、大きく移動させることができる。
【００２２】
この移動の際、常時は弾発力をもって円板部材(21)の係合孔(20)に係合している弾性舌片(26b)の丸形突部が、弾性舌片(26b)の先端を上方に弾性変形させつつ、円周方向に移動して、次の係合孔(20)に係合する。肘当て(３)を回動させる力が加わる限り、このような動作が次々に生じ、肘当て支持体(８)の移動は段階的に行われることとなる。
【００２３】
また、肘当て(３)は、第２の垂直軸(10)を中心に、肘当てホルダ(14)の係止軸(28)と肘当て(３)の係止部材(31)との係合位置を変えることにより、回動角度を選択することができる。この際、隙間は、カバー部材(19)により覆われているので、肘当て(３)を回動させるために掴んだ手の指先が、万一にも隙間に挟まれるようなことは生じない。
【００２４】
【発明の効果】
請求項１記載の発明によれば、肘当ての下面側に存在する肘当て回動機構の隙間が外部に露出せず、この隙間に指先を挟むことがなくなる。
【００２５】
請求項２記載の発明のようにすると、肘当て支持部へのカバー部材の取り付けが容易になるとともに、カバー部材の縁部が局部的に剥れたりすることがない。
【００２６】
請求項３記載の発明のようにすると、肘当て支持部へのカバー部材の取り付けが確実になる。
【図面の簡単な説明】
【図１】本発明の一実施形態を例を備える椅子の側面図である。
【図２】同じく、要部の拡大分解斜視図である。
【図３】同じく、その一部分をさらに拡大して下方より見た拡大分解斜視図である。
【図４】同じく、カバー部材の拡大平面図である。
【図５】同じく、カバー部材の拡大側面図である。
【図６】同じく、組み立てた状態の肘掛け装置の一部を縦断して示す側面図である。
【符号の説明】
(Ａ)椅子
(１)座体
(２)肘掛け装置
(３)肘当て
(3a)パッド
(3b)受材
(3c)ボルト
(４)肘掛け支柱
(５)肘掛け支柱部
(６)円板部分
(７)第１の垂直軸
(８)肘当て支持体
(９)軸孔
(10)第２の垂直軸
(10a)ボルト
(11)第１の平歯車
(11a)ボルト
(12)第２の平歯車
(12a)ボルト
(14)肘当てホルダ（肘当て支持部）
(14a)水平突部
(15)軸孔
(16)軸部
(17)平歯車
(18)上部カバー
(19)カバー部材
(20)係合孔
(21)円板部材
(22)係止ピン
(23)受け孔
(24)溝
(25)弾性部材
(26a)中央部分
(26b)弾性舌片
(28)係止軸
(29)凹所
(30)ボス部
(31)係止部材
(32)丸孔
(33)起立片
(34)係止爪
(35)係止溝
【図１】
0004347455.tif 000002
【図２】
0004347455.tif 000003
【図３】
0004347455.tif 000004
【図４】
0004347455.tif 000005
【図５】
0004347455.tif 000006
【図６】
0004347455.tif 000007